(57)【要約】      （修正有）【課題】立体人物像に個人の情報を記憶するＩＣチップと人の毛髪を保存する毛髪収納部を設けて、必要に応じて何時でも個人の情報と遺伝子の確認ができると共に、自宅の部屋に飾って記念のインテリアとし、個人の思い出としても利用できる立体人物像を提供する。【解決手段】写真から３Ｄプリンターにより作製した立体人物像１の内部に、その人物の個人の情報を記憶したＩＣチップ４と毛髪を保管する毛髪収納部６を内蔵し、必要に応じて個人情報と遺伝子情報を取り出すことができるものである。【選択図】図２
0003205449.tif 000002
【実用新案登録請求の範囲】
【請求項１】
写真から３Ｄプリンターにより作製した立体人物像の内部に、その人物の個人の情報を記憶したＩＣチップと毛髪収納部を内蔵したことを特徴とする立体人物像。
【請求項２】
ＩＣチップと毛髪収納部がＩＣカードに一体に形成され、立体人物像の内部に着脱自在に取付けられていることを特徴とする請求項１記載の立体人物像。
【請求項３】
ＩＣカードに設けられた毛髪収納部が、カードに凹溝部を形成し、この凹溝部の開口部分を蓋またはシールで塞いで密閉したことを特徴とする請求項２記載の立体人物像。
【考案の詳細な説明】
【技術分野】
【０００１】
本考案は、個人情報と毛髪を保存する立体人物像に関するものである。
【背景技術】
【０００２】
近年、遺伝子情報が個人の特定や親子関係の特定に利用されるようになってきた。個人が生きている間には口腔内の粘膜や毛髪から容易に遺伝子情報が得られるが、これらの情報は一般に書面に記載され、必要とする時まで保管されている。
【０００３】
しかしながら、遺伝子情報などの個人情報が必要になった場合や、死亡した後に、書面に記載された遺伝子情報が本当に本人のものであるか再確認できない問題があった。
【０００４】
このため本件出願人は、先にＩＣチップと毛髪収納部がＩＣカードに一体に形成された毛髪保存ＩＣカード（特許文献１）を開発した。しかしながら、これは携帯するもので紛失する危険性があった。
【先行技術文献】
【特許文献】
【０００５】
【特許文献１】実用登録第３１９５１８５号公報
【考案の概要】
【考案が解決しようとする課題】
【０００６】
本考案は上記問題を改善し、個人の情報を記憶するＩＣチップと人の毛髪を保存する毛髪収納部を設けて、必要に応じて何時でも個人の情報と遺伝子の確認ができると共に、自宅の部屋に飾って記念のインテリアとし、個人の思い出としても利用でき、紛失の危険がない立体人物像を提供するものである。
【課題を解決するための手段】
【０００７】
本考案の請求項１記載の立体人物像は、写真から３Ｄプリンターにより作製した立体人物像の内部に、その人物の個人の情報を記憶したＩＣチップと毛髪収納部を内蔵したことを特徴とするものである。
【０００８】
本考案の請求項２記載の立体人物像は、請求項１において、ＩＣチップと毛髪収納部がＩＣカードに一体に形成され、立体人物像の内部に着脱自在に取付けられていることを特徴とするものである。
【０００９】
本考案の請求項３記載の立体人物像は、請求項２において、ＩＣカードに設けられた毛髪収納部が、カードに凹溝部を形成し、この凹溝部の開口部分を蓋またはシールで塞いで密閉したことを特徴とするものである。
【考案の効果】
【００１０】
本考案に係る請求項１記載の立体人物像によれば、写真の人物から作製した立体人物像を室内に飾っておき、紛失の危険がなく、必要な時に、ＩＣチップのメモリー部に保存してある個人データや、画像データを取り出して的確、迅速に対応することができる紛失の危険がない。また死亡した後に、親子関係などの確認のために保存されている毛髪から遺伝子情報を取り出して、正確な遺伝子情報の確認を行なうことができる。紛失の危険がない立体人物像を提供するものである。
【００１１】
また請求項２記載の立体人物像によれば、ＩＣチップと毛髪収納部がＩＣカードに一体に形成されているので、保管や読取りが容易である。
【００１２】
また請求項３記載の立体人物像によれば、毛髪収納部が、ＩＣカードに凹溝部を形成し、この凹溝部の開口部分を蓋またはシールで塞いで密閉したので薄くて確に保存することができる。
【図面の簡単な説明】
【００１３】
【図１】本考案の実施の一形態による立体人物像の斜視図である。
【図２】図１の立体人物像の断面図である。
【図３】ＩＣカードを示す平面図である。
【図４】毛髪収納部６を示す断面図である。
【図５】データを立体人物像に入出力するシステム構成を示す説明図である。
【図６】本考案の他の実施の形態によるＩＣカードの平面図である。
【考案を実施するための最良の形態】
【００１４】
以下本考案の実施の一形態を図１ないし図５を参照して詳細に説明する。図において１は立体人物像を示すもので、これは写真から３Ｄプリンターにより作製したものである。この立体人物像１の内側には収納保管部２が形成され、ここに図３に示すように立体人物像１の個人の情報を記憶したＩＣチップ３を取付けたＩＣカード４と、図４に示す毛髪収納部６を収納するようになっている。
【００１５】
３Ｄプリンターによる立体人物像１の作製は、人物の周りの写真を複数枚撮影し、これを元にコンピュータ上で作った３Ｄデータを設計図として、その断面形状を積層していくことで立体人物像１を作製する。
【００１６】
この３Ｄプリンターによる立体人物像１の作製方法としては、液状の樹脂に紫外線などを照射して少しずつ硬化させていく光造形方式や、熱で融解した樹脂を少しずつ積み重ねていく熱溶解積層法、あるいは粉末の樹脂に接着剤を吹き付けていく粉末固着方式など何れの方法でも良く、この樹脂に金属や石膏を混合して、金属製や石膏製の人物像を制作する。この３Ｄプリンターによる立体人物像１は中空構造で、軽量化することができ製作が容易である。
【００１７】
前記ＩＣカード４は図３に示すように、個人の情報を記憶したＩＣチップ３を内蔵したものである。ＩＣチップ３内には個人の情報を記憶するメモリー部８と、マイクロプロセッサ部９と、データ入出力部１０とから構成され、このデータ入出力部１０はデータの受信発信を行なうループアンテナ１１に接続されている。
【００１８】
個人の情報を記憶するメモリー部８は、個人データメモリー部と画像データメモリー部とから構成されている。また毛髪収納部６は図４に示すように箱１３に毛髪５を入れてから開口部分を蓋１４で閉じて密閉できるようになっている。なお図５はデータを立体人物像１に入出力するシステムで、図において１５はＩＣカードリーダーライタ、１６はパーソナルコンピュータである。
【００１９】
上記構成の立体人物像１は、予め人物像個人の粘膜や毛髪５から遺伝子解析して、その情報を図５に示すパーソナルコンピュータ１６に入力しておく。また遺伝子情報の他に、個人の氏名や生年月日、住所、経歴、血液型、体質情報、病歴、健康診断情報、墓地所在地、記念日などの個人データをパーソナルコンピュータ１６に入力しておく。この記念日としては例えば七五三、入学式、成人式、結婚式、還暦や喜寿など人生の節目を保存しておく。また献体カードやドナーカードとしても利用することができる。また、個人の写真や３Ｄ立体画像、墓地風景の映像、墓石の写真、記念写真や記念映像などの画像データをパーソナルコンピュータ１６に取り込んでおく。
【００２０】
また図４に示すように毛髪収納部６の箱１３の蓋１４を外して、内部に短く切った個人の毛髪５を収納してから、蓋１４を閉じて内部を密閉する。
【００２１】
次にデータを保存したパーソナルコンピュータ１６に、ＩＣカードリーダーライタ１５を接続してから、ここにＩＣカード４を挿入する。次にパーソナルコンピュータ１６からＩＣカードリーダーライタ１５に個人情報のデータを送り、ここからＩＣカード４に、接触型の場合にはデータ入出力部１０に端子を接触させデータを送り、また非接触型の場合には、ループアンテナ１１から無線でデータを送る。
【００２２】
立体人物像１に送られたデータは、マイクロプロセッサ部９で処理されて個人データはメモリー部８の個人データメモリー部に記録され、画像データは画像データメモリー部に記録される。メモリー容量が大きい場合には高画質映像にも対応することができる。
【００２３】
従って、個人が事故にあって怪我をした時などに、ＩＣカード４をＩＣカードリーダーライタ１５に挿着してパーソナルコンピュータ１６でメモリー部８に記録されている個人の血液型、病歴などの個人データを読み出し、的確、迅速に対応することができる。また個人が死亡した後に、親子関係などの確認のために遺伝子情報を取り出せると共に、毛髪１５が保存されているので、正確な遺伝子情報の再確認を行なうことができる。また将来、遺伝子解析技術が進歩した時には、家族の病気予防につながることも期待できる。更に個人の経歴や墓地所在地、墓地風景の映像、墓石の写真なども確認して葬儀や埋葬を円滑に進めることができる。
【００２４】
したがって、立体人物像１を自宅の部屋に飾っておくと、記念のインテリアとなり、また個人の思い出と共に、個人データの記録としても利用できる。
【００２５】
図６は本考案の他の実施の形態を示すもので、ＩＣチップ３と毛髪収納部６が一体に形成されたＩＣカード４で、毛髪収納部６はＩＣカード１に凹溝部１７が形成され、ここに毛髪５を入れてから全体にシール１８を貼付して内部を密閉できるようにしたものである。これは薄くて確実に保存することができる。
【００２６】
なお上記説明ではＩＣカードリーダーライタ１５をパーソナルコンピュータ１６に接続してデータを表示させる場合について示したが、スマートホーンやタブレット端末に接続してデータを表示させても良い。
【符号の説明】
【００２７】
１  立体人物像                                            
２  収納保管部                                              
３  ＩＣチップ                                              
４  ＩＣカード                                              
５  毛髪                                                    
６  毛髪収納部                                              
８  メモリー部                                              
９  マイクロプロセッサ部                                    
１０  データ入出力部                                        
１１  アンテナ                                              
１３  箱                                                    
１４  蓋                                                    
１５  ＩＣカードリーダーライタ                              
１６  パーソナルコンピュータ  
１７  凹溝部    
１８  シール
【図１】
0003205449.tif 000003
【図２】
0003205449.tif 000004
【図３】
0003205449.tif 000005
【図４】
0003205449.tif 000006
【図５】
0003205449.tif 000007
【図６】
0003205449.tif 000008